(57)【特許請求の範囲】
【請求項１】
複数個のボルト孔を有する金属製のカバー部材の表面に電着塗装によって絶縁塗膜を施す際に、前記カバー部材の一側表面の前記各ボルト孔の周囲に非塗装部を設けるための塗装用マスキング冶具であって、
有底筒状のホルダと、
前記ホルダの内部に収納されかつ中心孔が貫設された永久磁石と、
前記ホルダの底板に一端側が保持されると共に、前記永久磁石の中心孔に挿通される軸部と、この軸部の先端に設けられ、かつ前記ボルト孔に嵌挿される嵌合頭部を有するガイドピンと、
前記ガイドピンの軸部に嵌挿される中心孔を有し、かつ前記ホルダの開口側端面と前記カバー部材の一側表面との間に配置されて前記カバー部材の一側表面の前記ボルト孔の周囲に密着する弾性シール部材とを備え、
しかも、前記ガイドピンは、少なくとも嵌合頭部が絶縁材によって形成されていることを特徴とする塗装用マスキング治具。
【請求項２】
請求項１に記載した塗装用マスキング治具であって、
ガイドピンの嵌合頭部は、ボルト孔の内周面に当接可能な接触点を外周面の複数箇所に有して非円形に形成され、
前記嵌合頭部と前記ボルト孔の内周面との間に隙間が設定されることを特徴とする塗装用マスキング治具。
【発明の詳細な説明】
【技術分野】
【０００１】
この発明は、複数個のボルト孔を有する金属製のカバー部材の表面に電着塗装によって絶縁塗膜を施す際に、カバー部材の一側表面の各ボルト孔の周囲に非塗装部を設けるための塗装用マスキング冶具に関する。
【背景技術】
【０００２】
電着塗装（カチオン電着塗装又はアニオン電着塗装）によって表面に絶縁塗膜が施された金属製のカバー部材を有するインバータケースやコンバータケースにおいては、電気部品を収容し、内部において電圧の昇圧機能や電流の整流機能を果たす。このため、ケース内では常に発生しつづけている電流が充満し、ケース周辺で静電気が生じ易くなる。これを防止するためには充満した電流を逃がす必要があり、これをカバー部材のボデーアースによって対処している。
従来、金属製のカバー部材の一側表面のボルト孔の周囲に非塗装部を設けるために、耐熱シリコーンゴムからなるマスキング部品を使用することが知られている。
このマスキング部品は、ボルト孔に差し込むアンカー部と、ボルト孔の周囲に接触するシール部とを有する。
そして、カバー部材の電着塗装に先立ってカバー部材を回転式の作業テーブルにセットし、この作業テーブルを回転させながらマスキング部品のアンカー部を個々のボルト孔に順次差し込み、反対側からアンカー部の端部をプライヤーなどの工具によって引っ張る。これにより、シール部をボルト孔の周囲に密着させる。そして、カバー部材に対する電着塗装の処理が完了した後は、作業テーブルを回転させながら各マスキング部材を個々のボルト孔から順次取り外すようにしていた。
なお、カバー部材の表面に電着塗装によって絶縁塗膜を施す際に、カバー部材の一側表面のボルト孔の周囲をマスキングし、当該マスキング部に非塗装部を設ける点については、例えば、特許文献１に開示されている。
【特許文献１】特開２００５−３２７９９１号公報
【発明の開示】
【発明が解決しようとする課題】
【０００３】
ところで、カバー部材の複数個のボルト孔に対し、プライヤーなどの工具を用いてマスキング部品を一つずつ着脱する作業は厄介であり、多くの手間と時間が必要となる。また、シリコーンゴムなどから制作されるマスキング部品は、自身の柔軟性からボルト孔に対する位置ずれが生じやすく、非塗装部がボルト孔の周囲からずれる場合もある。
この発明の目的は、前記問題点に鑑み、カバー部材の複数個のボルト孔に対する着脱を容易に手早く行うことができる塗装用マスキング治具を提供することである。
【課題を解決するための手段】
【０００４】
前記課題を解決するために、この発明の請求項１に係る塗装用マスキング治具は、複数個のボルト孔を有する金属製のカバー部材の表面に電着塗装によって絶縁塗膜を施す際に、前記カバー部材の一側表面の前記各ボルト孔の周囲に非塗装部を設けるための塗装用マスキング冶具であって、
有底筒状のホルダと、
前記ホルダの内部に収納され、かつ中心孔が貫設された永久磁石と、
前記ホルダの底板に一端側が保持されると共に、前記永久磁石の中心孔に挿通される軸部と、この軸部の先端に設けられかつ前記ボルト孔に嵌挿される嵌合頭部を有するガイドピンと、
前記ガイドピンの軸部に嵌挿される中心孔を有し、かつ前記ホルダの開口側端面と前記カバー部材の一側表面との間に配置されて前記カバー部材の一側表面の前記ボルト孔の周囲に密着する弾性シール部材とを備え、
しかも、前記ガイドピンは、少なくとも嵌合頭部が絶縁材によって形成されていることを特徴とする。
【０００５】
前記構成によると、カバー部材の複数個のボルト孔に対し、これと同数の塗装用マスキング治具の各ガイドピンの嵌合頭部を嵌込むことで、永久磁石の磁力によって、カバー部材の複数個のボルト孔に各塗装用マスキング治具が取り付けられる。そして、各塗装用マスキング治具のホルダの開口側端面とカバー部材の一側表面との間に配設された弾性シール部材がカバー部材の一側表面のボルト孔の周囲に密着する。これによって、カバー部材の一側表面の各ボルト孔の周囲の非塗装部に対応する領域が弾性シール部材によって良好にマスキングされる。
その後、カバー部材が電着塗装される。この電着塗装の際、各塗装用マスキング治具の弾性シール部材によってマスキングされた領域（カバー部材の一側表面の複数個のボルト孔の周囲）には絶縁塗膜が付着されない非塗装部が設けられる。
その後、カバー部材の複数個のボルト孔に対し永久磁石の磁力に抗して各塗装用マスキング治具を引き上げることで、各塗装用マスキング治具が取り外される。
【０００６】
前記したようにして、カバー部材の複数個のボルト孔に対し、これと同数の塗装用マスキング治具を工具などを用いることなく容易にかつ手早く着脱することができる。
しかも、ガイドピンは、少なくとも嵌合頭部が絶縁材によって形成されているため、電着塗装の際にガイドピンの嵌合頭部に絶縁塗膜が付着することを防止でき、カバー部材のボルト孔からガイドピンの嵌合頭部を引き抜く操作を軽快に行うことができる。
さらに、カバー部材に対しマスキング治具を絶縁状態に保つことが可能となり、治具内部に塗料が染み込む不具合を防止することができると共に、マスキング治具の保守・管理が容易となり、数多くの繰り返し使用において効果が大きい。
【０００７】
請求項２に係る塗装用マスキング治具は、請求項１に記載した塗装用マスキング治具であって、
ガイドピンの嵌合頭部は、ボルト孔の内周面に当接可能な接触点を外周面の複数箇所に有して非円形に形成され、
前記嵌合頭部と前記ボルト孔の内周面との間に隙間が設定されることを特徴とする。
【０００８】
前記構成によると、カバー部材の複数個のボルト孔に、それぞれガイドピンの嵌合頭部を嵌込んでセットした状態で、電着塗装に先立ってアルカリ洗浄液によってカバー部材を脱脂処理した後、カバー部材及びマスキング治具に付着しているアルカリ洗浄液を水洗い等によって洗浄する際に、カバー部材のボルト孔とガイドピンの嵌合頭部との間に染み込んだアルカリ洗浄液をガイドピンの嵌合頭部とボルト孔の内周面との間の隙間によって良好に洗い落すことができる。
この結果、カバー部材のボルト孔とガイドピンの嵌合頭部との間の嵌合部分に残留するアルカリ洗浄液の成分が原因となる塗装不良を防止することができる。
すなわち、カバー部材のボルト孔とガイドピンの嵌合頭部との間の嵌合部分にアルカリ洗浄液の成分が残留すると、その後の電着塗装において、アルカリ洗浄液の成分がボルト孔の周縁部ににじみ出て塗装不良が発生するが、前記したように、カバー部材のボルト孔とガイドピンの嵌合頭部との間に染み込んだアルカリ洗浄液を良好に洗い落とすことで、塗装不良を防止することができる。
【発明を実施するための最良の形態】
【０００９】
この発明を実施するための最良の形態について実施例にしたがって説明する。
【００１０】
〔実施例１〕
この発明の実施例１を図１〜図６にしたがって説明する。
図１はこの発明の実施例１に係る塗装用マスキング治具をカバー部材の複数個のボルト孔に取り付ける前の状態を示す斜視図である。図２は塗装用マスキング治具の構成部品を分離して示す斜視図である。図３は塗装用マスキング治具の構成部品を組み付けた状態を示す斜視図である。図４は塗装用マスキング治具の縦断面図である。図５はカバー部材のボルト孔に塗装用マスキング治具を取り付けた状態を示す断面図である。図６はカバー部材を電着塗装した状態を示す断面図である。
【００１１】
図１に示すように、塗装用マスキング治具１０は、インバータケースあるいはコンバータケースなどの金属製（主として鉄板製）のカバー部材１の表面に電着塗装（カチオン電着塗装又はアニオン電着塗装）によって絶縁塗膜を施す際に、カバー部材１のフランジ部２に形成された複数個のボルト孔３の周囲の所定領域をマスキングし、当該マスキング領域６ａに非塗装部６を設けるために用いられる。
【００１２】
図２と図３に示すように、塗装用マスキング治具１０は、ホルダ２０と、永久磁石３０と、ガイドピン４０と、弾性シール部材５０とを備えている。
ホルダ２０は、ステンレス（例えば、ＳＵＳ３０４）などの金属材料や耐熱性及び絶縁性を有する合成樹脂材（例えば、３００℃前後の熱に耐え得る４６ナイロン）、セラミック等によって有底筒状に形成されている。そして、図４に示すように、ホルダ２０の底板２１の中心部には、ガイドピン４０の軸部４１の先端部が移動可能に嵌挿される貫通孔２２が形成されている。
【００１３】
永久磁石３０は、耐熱性の永久磁石によって形成され、中心部には中心孔３１が貫設されている。例えば、永久磁石３０としてサーマルコバルトマグネットと呼ばれている超強力永久磁石を用いることが望ましい。
また、永久磁石３０は、その外径寸法がホルダ２０の内径寸法よりも若干小さく、長さ寸法がホルダ２０の収納部の深さ寸法よりも若干小さく設定されている。そして、ホルダ２０の周壁部２３の先端面２４と永久磁石３０の一端面３２との間には、永久磁石３０の長さ寸法とホルダ２０の収納部の深さ寸法との差に相当する分だけ隙間Ｓが設定されている。また、この隙間Ｓに相当する移動量において永久磁石３０がガイドピン４０の軸部４１の軸方向に相対移動可能に保持される。
【００１４】
ガイドピン４０は、ホルダ２０の底板２１に一端側が保持されると共に、永久磁石３０の中心孔３１に移動可能に挿通される軸部４１と、この軸部４１の先端に設けられ、かつカバー部材１のボルト孔３に嵌挿される大径の嵌合頭部４３とを一体状に有し、少なくとも嵌合頭部４３が絶縁材によって形成されている。
この実施例１において、ガイドピン４０は、耐熱性及び絶縁性を有する合成樹脂材、例えば、３００℃前後の熱に耐え得る４６ナイロンによって形成されている。
また、ガイドピン４０は、その軸部４１の長さ寸法（嵌合頭部４３下面から軸部４１先端までの長さ寸法）がホルダ２０の底板２１下面から周壁部２３の先端面２４までの寸法に弾性シール部材５０の厚さ寸法を加えた寸法と略同じ又は若干大く設定されている。
【００１５】
また、ガイドピン４０の軸部４１の先端面の中心部にはねじ孔４２が形成されている。そして、ホルダ２０の内部に永久磁石３０が収納され、この永久磁石３０の一端面３２側から、次ぎに詳述する弾性シール部材５０の中心孔５１を通してガイドピン４０の軸部４１が挿通され、軸部４１の先端部がホルダ２０の底板２１の貫通孔２２に嵌合される。そして、この状態で、軸部４１の先端面のねじ孔４２にビス４６がねじ込まれることによって、ホルダ２０、永久磁石３０、ガイドピン４０及び弾性シール部材５０が相互に組み付けられ、これによって塗装用マスキング治具１０が構成される。なお、ビス４６の頭部４７の外径寸法は、ホルダ２０の底板２１の貫通孔２２の内径寸法よりも大きく設定され、ビス４６の頭部４７がホルダ２０の底板２１の下面に係合するようになっている。
【００１６】
弾性シール部材５０は、耐熱性、絶縁性及び弾性を有するシリコーン、発泡エプトシーラ（フッ素ゴムの発泡材）等の弾性体よりなり、かつホルダ２０の外径寸法と略同じ又は若干大きい外形寸法を有して円板状に形成されている。さらに、弾性シール部材５０の中心部にはガイドピン４０の軸部４１が嵌挿される中心孔５１が形成されている。そして、弾性シール部材５０は、ガイドピン４０の嵌合頭部４３の下面と、ホルダ２０の周壁部２３の先端面２４との間に介在され、図５に示すように、カバー部材１のフランジ部２のボルト孔３に塗装用マスキング治具１０がセットされたときには、弾性シール部材５０がホルダ２０の周壁部２３の先端面２４とカバー部材１のフランジ部２の一側表面との間に配置され、かつ永久磁石３０の磁力に基づく押圧力によってカバー部材１のフランジ部２の一側表面のボルト孔３の周囲に密着するようになっている。
なお、塗装用マスキング治具１０は、カバー部材１の面精度やボルト孔３の孔径等に対応した磁力や大きさをもつ多種類の塗装用マスキング治具１０が制作される。
【００１７】
この実施例１に係る塗装用マスキング治具１０は上述したように構成される。
したがって、まず、カバー部材１のフランジ部２における複数個ボルト孔３と同数の塗装用マスキング治具１０を用意する（図１参照）。
このとき、カバー部材１のフランジ部２の面精度やボルト孔３の孔径等に対応した磁力や大きさをもつ塗装用マスキング治具１０が選定される。なお、弾性シール部材５０の外径を変えることで、マスキング領域（非塗装部６に対応する領域）６ａを調整することができるのは当然である。
【００１８】
次に、カバー部材１の複数個のボルト孔３に対し、各塗装用マスキング治具１０のガイドピン４０の嵌合頭部４３を嵌込む。すると、図５に示すように、永久磁石３０の磁力によって、カバー部材１の複数個のボルト孔３に各塗装用マスキング治具１０が取り付けられる（セットされる）。そして、各塗装用マスキング治具１０のホルダ２０の周壁部２３の先端面２４とカバー部材１のフランジ部２の一側表面との間に配設された弾性シール部材５０がフランジ部２の一側表面のボルト孔３の周囲に密着する。
この際、カバー部材１が鉄板製（強磁性体）であり、ホルダ２０が非磁性体（又は弱磁性体）である場合、永久磁石３０が自身の磁力によってガイドピン４０の軸部４１の軸方向でかつフランジ部２に向けて隙間Ｓに相当する分だけ移動する。そして、永久磁石３０の一側端面３２が弾性シール部材５０に接した状態で弾性シール部材５０をフランジ部２の一側表面のボルト孔３の周囲に密着する。このため、フランジ部２のボルト孔３の周縁にバリ等があったとしても、永久磁石３０の磁力による押圧力によって弾性シール部材５０を弾性圧縮させボルト孔３の周囲に密着させることができる。この結果、弾性シール部材５０がボルト孔３の周縁近傍で不測に浮き上がる不具合を防止することができる。
【００１９】
前記したようにしてフランジ部２の一側表面の各ボルト孔３の周囲の非塗装部６に対応するマスキング領域６ａが弾性シール部材５０によって良好にマスキングされる。
そして、カバー部材１の複数個のボルト孔３に対し、各塗装用マスキング治具１０がセットされた状態のもとでアルカリ洗浄液によってカバー部材１が脱脂処理された後、カバー部材１及びマスキング治具１０に付着しているアルカリ洗浄液が水洗い等によって洗浄される。
【００２０】
その後、カバー部材１が電着塗装（カチオン電着塗装又はアニオン電着塗装）の水溶液内に浸けられ、一方の電極に接続された状態で電着塗装される。この電着塗装の際、各塗装用マスキング治具１０の弾性シール部材５０によってマスキングされたマスキング領域６ａには絶縁塗膜５が付着されない非塗装部６が設けられる（図６参照）。
カバー部材１が電着塗装され、電着塗装用水溶液から引き上げられた後、焼き付け処理がなされる。
その後、カバー部材１のフランジ部２の複数個のボルト孔３に対し永久磁石３０の磁力に抗して各塗装用マスキング治具１０を引き上げることで、各塗装用マスキング治具１０が取り外される。
前記したようにして、複数個のボルト孔３に対し、これと同数の塗装用マスキング治具１０を、工具などを用いることなく容易にかつ手早く着脱することができる。
【００２１】
特に、この実施例１において、電着塗装の際、絶縁材によって形成されているガイドピン４０の嵌合頭部４３に絶縁塗膜が付着することを防止できる。このため、カバー部材１のボルト孔３からガイドピン４０の嵌合頭部４３を引き抜く操作を軽快に行うことができる。
さらに、絶縁性のガイドピン４０及び弾性シール部材５０によって、金属製のカバー部材１に対し塗装用マスキング治具１０を絶縁状態に保つことが可能となる。このため、塗装用マスキング治具１０に電着塗装の塗料が染み込む不具合を防止することができると共に、塗装用マスキング治具１０の保守・管理が容易となり、数多くの繰り返し使用において効果が大きい。
【００２２】
なお、この発明は前記実施例１に限定するものではなく、この発明の要旨を逸脱しない領域内において、種々なる形態で実施することもできる。
例えば、前記実施例１においては、ガイドピン４０の嵌合頭部４３が円形に形成される場合を例示したが、図７〜図１０に示すように、カバー部材１のボルト孔３の内周面に当接可能な接触点を外周面の複数箇所に有して非円形に形成され、嵌合頭部４３（１４３、２４３、３４３）とボルト孔３の内周面との間に隙間を設定するようにしてもよい。
すなわち、図７に示すように、ガイドピン４０の嵌合頭部１４３を略三角形に形成してもよく、図８に示すように、ガイドピン４０の嵌合頭部２４３を略楕円、又は長円形に形成してもよく、図９に示すように、ガイドピン４０の嵌合頭部３４３を略四角形に形成してもよい。
前記したように、ガイドピン４０の嵌合頭部４３（１４３、２４３、３４３）が非円形に形成されることで次の作用効果が得られる。
【００２３】
すなわち、カバー部材１の複数個のボルト孔３に、それぞれガイドピン４０の嵌合頭部４３を嵌込んでセットした状態で、電着塗装に先立ってアルカリ洗浄液によってカバー部材１を脱脂処理した後、カバー部材１及び塗装用マスキング治具１０に付着しているアルカリ洗浄液を水洗い等によって洗浄する際に、カバー部材１のボルト孔３とガイドピン４０の嵌合頭部４３との間に染み込んだアルカリ洗浄液をガイドピン４０の嵌合頭部４３（１４３、２４３、３４３）とボルト孔３の内周面との間の隙間によって良好に洗い落とすことができる。
この結果、カバー部材１のボルト孔３とガイドピン４０の嵌合頭部４３（１４３、２４３、３４３）との間の嵌合部分に残留するアルカリ洗浄液の成分が原因となる塗装不良を防止することができる。
【００２４】
例えば、カバー部材１のボルト孔３とガイドピン４０の嵌合頭部４３（１４３、２４３、３４３）との間の嵌合部分にアルカリ洗浄液の成分が残留すると、その後の電着塗装において、アルカリ洗浄液の成分がボルト孔３の周縁部ににじみ出て塗装不良が発生する恐れがあるが、前記したように、カバー部材１のボルト孔３とガイドピン４０の嵌合頭部４３（１４３、２４３、３４３）との間に染み込んだアルカリ洗浄液を良好に洗い落とすことで、塗装不良を防止することができる。
特に、図３に示すように、ガイドピン４０の嵌合頭部１４３を略三角形に形成すると共に、その嵌合頭部１４３の三辺１４３ａを円弧状又は湾曲状に形成することによって液体の流れが円滑となり、アルカリ洗浄液の洗い落としに効果が大きい。
【００２５】
また、前記実施例１においては、ガイドピン４０の軸部４１の先端面のねじ孔４２にビス４６がねじ込まれることによって、ホルダ２０、永久磁石３０、ガイドピン４０及び弾性シール部材５０が相互に組み付けられる構成にしたが、ビス４６に換え、図１０に示すように、クリップ４７を用いてもよい。
この場合、ガイドピン４０の軸部４１の先端側中心部に挿通孔４２ａが形成され、この挿通孔４２ａの奥側に係止部４２ｂが形成される。
一方、クリップ４７は、頭部４８と軸部４９とを備え軸部４９の先端部には割溝４９ａをもって弾性的に縮開可能な弾性係止片４９ｂが形成される。そして、ガイドピン４０の軸部４１の先端側からその挿通孔４２ａにクリップ４７の軸部４９が所定長さ押し込まれることによって弾性係止片４９ｂが挿通孔４２ａの係止部４２ｂに係合する。これによって、ホルダ２０、永久磁石３０、ガイドピン４０及び弾性シール部材５０が相互に組み付けられて塗装用マスキング治具１０が構成される。
【図面の簡単な説明】
【００２６】
【図１】この発明の実施例１に係る塗装用マスキング治具をカバー部材の複数個のボルト孔に取り付ける前の状態を示す斜視図である。
【図２】同じく塗装用マスキング治具の構成部品を分離して示す斜視図である。
【図３】同じく塗装用マスキング治具の構成部品を組み付けた状態を示す斜視図である。
【図４】同じく塗装用マスキング治具の縦断面図である。
【図５】同じくカバー部材のボルト孔に塗装用マスキング治具を取り付けた状態を示す断面図である。
【図６】同じくカバー部材を電着塗装した状態を示す断面図である。
【図７】ガイドピンの嵌合頭部が略三角形に形成された実施態様を示す平面図である。
【図８】ガイドピンの嵌合頭部が略楕円、又は長円形に形成された実施態様を示す平面図である。
【図９】ガイドピンの嵌合頭部が略四角形に形成された実施態様を示す平面図である。
【図１０】ガイドピンの軸部に対するビスをクリップに換えた実施態様を示す説明図である。
【符号の説明】
【００２７】
１  カバー部材
２  フランジ部
３  ボルト孔
５  絶縁塗膜
６  非塗装部
１０  塗装用マスキング治具
２０  ホルダ
２１  底板
３０  永久磁石
３１  中心孔
４０  ガイドピン
４１  軸部
４３  嵌合頭部
５０  弾性シール部材
５１  中心孔
【図１】
0005073387.tif 000002
【図２】
0005073387.tif 000003
【図３】
0005073387.tif 000004
【図４】
0005073387.tif 000005
【図５】
0005073387.tif 000006
【図６】
0005073387.tif 000007
【図７】
0005073387.tif 000008
【図８】
0005073387.tif 000009
【図９】
0005073387.tif 000010
【図１０】
0005073387.tif 000011